(57)【要約】【目的】合成樹脂製の手提げ袋として使用し、手提げ袋としての使用後はフアイルとして使用することができるフアイルに変換できる手提げ袋の提供。【構成】第２折線部５を介して表板７と裏板８とを重設すると共に第１折線部４を介して他方縁３に沿って設けた他方縁板部９に貼着片部６を貼着し、更に重設した表板７と裏板８の下部を接着したヒートシール部１０を設けると共に上部を開口した開口部１１を設けた偏平状袋体１２を形成し、に開口部１１よりやや下方に位置して表板７と裏板８とに夫々提手横長孔部１３，１３を形成し、偏平状袋体１２において、第２折線部５よりヒートシール部１０に亘り重設した表板７と裏板８とを貫通した逆Ｌ字状のミシン目状線部１６を設け、該逆Ｌ字状のミシン目状線部１６は指先操作で切断できると共に切断後はフアイルが形成されるフアイル形成部２３を備えたことを特徴としている。【選択図】図２                                                          
0003112733.tif 000002
【実用新案登録請求の範囲】
【請求項１】
横長状合成樹脂製板体１の一方縁２より他方縁３に亘り第１折線部４と第２折線部５を介して貼着片部６と表板７と裏板８とを連接し、且つ第２折線部５を介して表板７と裏板８とを重設すると共に第１折線部４を介して他方縁３に沿って設けた他方縁板部９に貼着片部６を貼着し、更に重設した表板７と裏板８の下部を接着したヒートシール部１０を設けると共に上部を開口した開口部１１を設けた偏平状袋体１２を形成し、又更に開口部１１よりやや下方に位置して表板７と裏板８とに夫々提手横長孔部１３，１３を形成し、該提手横長孔部１３，１３には上部に表板７及び裏板８と連接した横長連接部１４，１４を残して切断形成した横長舌片状部１５，１５を備え、且又偏平状袋体１２において、第２折線部５よりヒートシール部１０に亘り重設した表板７と裏板８とを貫通した逆Ｌ字状のミシン目状線部１６を設け、該逆Ｌ字状のミシン目状線部１６は指先操作で切断できると共に切断後はフアイル１７が形成されるようにしたフアイル形成部２３を備え、更に第２折線部５に位置した表板７と裏板８とに亘り連続して切断した切断ミシン目状線部１７を設けたことを特徴とするフアイルに変換できる手提げ袋。
【考案の詳細な説明】
【技術分野】
【０００１】
この考案は、最初は合成樹脂製の手提げ袋として使用し、手提げ袋としての使用後は書類等を挟持する合成樹脂製のフアイルとして使用することができるもので変化に富み面白く、使用上極めて好適なフアイルに変換できる手提げ袋に関するものである。
【背景技術】
【０００２】
従来、展示会場等でカタログを入れて貰った合成樹脂製の手提げ袋は使用後は捨てられて資材が無駄となり、不経済で資源の損失となると言われている。
【０００３】
ところで合成樹脂製の手提げ袋は使用後は捨てることなく、簡単な改良操作によって書類等を挟持する合成樹脂製のフアイルとして使用することで資源の損失を阻止して極めて経済てきである。
【０００４】
又、従来、合成樹脂製の手提げ袋で使用後は捨てられて資材が無駄となり、不経済で資源の損失となる等の欠点があった。
【特許文献１】実開平６−８０６５１号公報
【考案の開示】
【考案が解決しようとする課題】
【０００５】
この考案は上記の問題点を解決したもので、最初は合成樹脂製の手提げ袋として使用し、手提げ袋としての使用後は極めて簡単な手段で改良して書類等を挟持する合成樹脂製のフアイルとして使用することで好適で使用勝手が良く便利なフアイルに変換できる手提げ袋を得ることを目的としたものである。
【課題を解決するための手段】
【０００６】
上記の目的を達成するためこの考案は、横長状合成樹脂製板体１の一方縁２より他方縁３に亘り第１折線部４と第２折線部５を介して貼着片部６と表板７と裏板８とを連接し、且つ第２折線部５を介して表板７と裏板８とを重設すると共に第１折線部４を介して他方縁３に沿って設けた他方縁板部９に貼着片部６を貼着し、更に重設した表板７と裏板８の下部を接着したヒートシール部１０を設けると共に上部を開口した開口部１１を設けた偏平状袋体１２を形成し、又更に開口部１１よりやや下方に位置して表板７と裏板８とに夫々提手横長孔部１３，１３を形成し、該提手横長孔部１３，１３には上部に表板７及び裏板８と連接した横長連接部１４，１４を残して切断形成した横長舌片状部１５，１５を備え、且又偏平状袋体１２において、第２折線部５よりヒートシール部１０に亘り重設した表板７と裏板８とを貫通した逆Ｌ字状のミシン目状線部１６を設け、該逆Ｌ字状のミシン目状線部１６は指先操作で切断できると共に切断後はフアイル１７が形成されるようにしたフアイル形成部２３を備え、更に第２折線部５に位置した表板７と裏板８とに亘り連続して切断した切断ミシン目状線部１７を設けたことを特徴とするフアイルに変換できる手提げ袋としたものである。
【考案の効果】
【０００７】
この考案は以上のような構成であり、横長状合成樹脂製板体１の一方縁２より他方縁３に亘り第１折線部４と第２折線部５を介して貼着片部６と表板７と裏板８とを連接し、且つ第２折線部５を介して表板７と裏板８とを重設すると共に第１折線部４を介して他方縁３に沿って設けた他方縁板部９に貼着片部６を貼着し、更に重設した表板７と裏板８の下部を接着したヒートシール部１０を設けると共に上部を開口した開口部１１を設けた偏平状袋体１２を形成し、又更に開口部１１よりやや下方に位置して表板７と裏板８とに夫々提手横長孔部１３，１３を形成し、該提手横長孔部１３，１３には上部に表板７及び裏板８と連接した横長連接部１４，１４を残して切断形成した横長舌片状部１５，１５を備えたことによって不使用時においては嵩ばらず偏平状に多数枚を保管できて場所を取らず、使用時においては偏平状袋体１２の開口部１１より物を入れて持ち運ぶことができるものである。
【０００８】
又、偏平状袋体１２の開口部１１より物を入れて持ち運ぶに際しては開口部１１よりやや下方に位置して表板７と裏板８とに夫々提手横長孔部１３，１３を形成し、該提手横長孔部１３，１３には上部に表板７及び裏板８と連接した横長連接部１４，１４を残して切断形成した横長舌片状部１５，１５を備えたことによって図７に図示したように横長舌片状部１５，１５を起こすことができて表板７と裏板８とに夫々形成した提手横長孔部１３，１３に手先を入れて持ち運んでも提手横長孔部１３，１３の形成に際して表板７及び裏板８の切断部が直接手先に食い込むことがなく横長連接部１４，１４が手先に当るので手先が痛くなるようなことがなく手提げ袋として使用便利である。
【０００９】
又、手提げ袋としての使用後は偏平状袋体１２において、第２折線部５よりヒートシール部１０に亘り重設した表板７と裏板８とを貫通した逆Ｌ字状のミシン目状線部１６を設け、該逆Ｌ字状のミシン目状線部１６は指先操作で切断できると共に切断後はフアイル１７が形成されるようにしたので極めて簡単な手段で改良して書類等を挟持する合成樹脂製のフアイルとして使用することで好適で使用勝手が良く便利なフアイルに変換することができるものである。
【００１０】
又、偏平状袋体１２において、第２折線部５より折り曲げて重設した表板７と裏板８とを貫通した逆Ｌ字状のミシン目状線部１６を設けた部分は、すなわち図３に図示したように第２折線部５に位置した表板７と裏板８とに亘り連続して切断した切断ミシン目状線部１７を設けたことで図８に図示したように指先操作での逆Ｌ字状のミシン目状線部１６の切断開始操作がより容易で簡便にできるものである。
【００１１】
以上のようにこの考案は最初は表板７と裏板８とに夫々形成した提手横長孔部１３，１３に手先を入れて合成樹脂製の手提げ袋として使用し、その手提げ袋としての使用後はミシン目状線部１６に添って指先による極めて簡単な手段で合成樹脂製の手提げ袋に形成した逆Ｌ字状のミシン目状線部１６を切断して書類等を挟持する合成樹脂製のフアイルとして使用することができるものに改良出来るもので使用勝手が良い便利なフアイルに変換できる手提げ袋を得ることができるようにした優れた効果を奏するものである。
【考案を実施するための最良の形態】
【００１２】
以下、この考案の実施の形態を図１〜図９に基いて説明する。
【実施例１】
【００１３】
この考案は、横長状合成樹脂製板体１の一方縁２より他方縁３に亘り第１折線部４と第２折線部５を介して貼着片部６と表板７と裏板８とを連接したものである（図１参照）。
【００１４】
又、第２折線部５を介して表板７と裏板８とを重設すると共に第１折線部４を介して他方縁３に沿って設けた他方縁板部９に貼着片部６を貼着し、更に重設した表板７と裏板８の下部を接着したヒートシール部１０を設けると共に上部を開口した開口部１１を設けた偏平状袋体１２を形成したものである（図２〜図５参照）。
【００１５】
又、開口部１１よりやや下方に位置して表板７と裏板８とに夫々提手横長孔部１３，１３を形成し、該提手横長孔部１３，１３には上部に表板７及び裏板８と連接した横長連接部１４，１４を残して切断形成した横長舌片状部１５，１５を備えたものである。よって、横長舌片状部１５，１５を起こすことができて表板７と裏板８とに夫々形成した提手横長孔部１３，１３をに手先を入れて持ち運んでも提手横長孔部１３，１３の形成に際して表板７及び裏板８の切断部が直接手先に食い込むことがなく折り曲げられた横長連接部１４，１４が手先に当るので手先が痛くなるようなことがない手提げ袋として簡単容易に使用できるものである。（図６、図７参照）。
【００１６】
又、偏平状袋体１２において、第２折線部５よりヒートシール部１０に亘り重設した表板７と裏板８とを貫通した逆Ｌ字状のミシン目状線部１６を設け、該逆Ｌ字状のミシン目状線部１６は指先操作で切断できるようにしものであるが、特に偏平状袋体１２において、第２折線部５より折り曲げて重設した表板７と裏板８とを貫通した逆Ｌ字状のミシン目状線部１６を設けた部分は、すなわち図３に図示したように第２折線部５に位置した表板７と裏板８とに亘り連続して切断した切断ミシン目状線部１７を設けたことで図８に図示したように指先操作での逆Ｌ字状のミシン目状線部１６の切断がより容易で簡単にできるものである。
【００１７】
又、逆Ｌ字状のミシン目状線部１６は指先操作による切断後は図９に図示したように逆Ｌ字状開口部１８を備えたフアイル１７が形成されるようにしたものであるが、重設した表板７と裏板８とを貫通した逆Ｌ字状のミシン目状線部１６で逆Ｌ字状開口部１８が形成された表板７のヒートシール部１０に近接した部分に小円弧状部１９が形成される指先切断ミシン目２０と表板７の上方部２１に大円弧状部２１が形成される指先切断ミシン目２０とを設けたことでフアイル１７が形成された表板７と裏板８との間に多数枚の書類を挟持してもヒートシール部１０に小円弧状部１９が形成されていることで表板７と裏板８とを離す力が働かずヒートシール部１０の離脱を長期に亘り防止するものであり、又大円弧状部２２は表板７と裏板８との間に挟持した書類等の挟持物の取り出しを容易にしたものである。
【図面の簡単な説明】
【００１８】
【図１】この考案のフアイルに変換できる手提げ袋を形成する横長状合成樹脂製板体の展開正面図である。
【図２】この考案のフアイルに変換できる手提げ袋の斜視図である。
【図３】図２における一部拡大Ａ−Ａ断面図である。
【図４】図２における一部拡大Ｂ−Ｂ断面図である。
【図５】図２における一部拡大Ｃ−Ｃ断面図である。
【図６】偏平状袋体で提手横長孔部を形成する前の状態を示した一部切欠の縦断面図である。
【図７】偏平状袋体で提手横長孔部を形成した後の状態を示した一部切欠の縦断面図である。
【図８】この考案のフアイルに変換できる手提げ袋でフアイルを形成する状態を示した説明斜視図である。
【図９】フアイルの斜視図である。
【符号の説明】
【００１９】
１  横長状合成樹脂製板体
２  一方縁
３  他方縁
４  第１折線部
５  第２折線部
６  表板
７  裏板
８  一方縁板部
９  貼着片部
１０  ヒートシール部
１１  開口部
１２  偏平状袋体
１３  提手横長孔部
１４  横長連接部
１５  横長舌片状部
１６  逆Ｌ字状のミシン目状線部
１７  フアイル
１８  逆Ｌ字状開口部
１９  小円弧状部
２０  指先切断ミシン目
２１  上方部
２２  大円弧状部
２３  フアイル形成部
【図１】
0003112733.tif 000003
【図２】
0003112733.tif 000004
【図３】
0003112733.tif 000005
【図４】
0003112733.tif 000006
【図５】
0003112733.tif 000007
【図６】
0003112733.tif 000008
【図７】
0003112733.tif 000009
【図８】
0003112733.tif 000010
【図９】
0003112733.tif 000011